(57)【要約】【課題】印字用紙本体の表面側にプリンタを用いて印字を施す際に、目隠しシールがプリンタのドラム等に引掛からないようにする。【解決手段】印字用紙本体２を、返信用葉書部５と切除用紙部７とで構成し、これらの間に切除用断続切れ目６を設ける。切除用紙部７の裏面側に、多層粘着層１１を介して剥離紙１０を接着する。多層粘着層１１を、切除用紙部７側の強粘着層１３と、剥離紙１０側の弱粘着層１４と、両粘着層１３，１４間の芯材１５とで形成する。切除用紙部７の表面側から、剥離紙１０の手前位置まで、シール形成用切込み１２を設ける。これにより、シール形成用切込み１２の内側部分を抜き出せば、目隠しシール９が得られる。【選択図】        図３
2004314343.tif 000002
【特許請求の範囲】
【請求項１】
表面側にプリンタを用いて印字が施される印字用紙本体と；印字用紙本体裏面の所定位置に、多層粘着層を介して接着された剥離紙と；剥離紙に対応する部位に印字用紙本体の表面側から少なくとも剥離紙の手前位置まで切込まれ、内側を剥離紙から剥離させることにより目隠しシールが形成されるシール形成用切込みと；を備え、前記多層粘着層は、少なくとも前記印字用紙本体の裏面側に接着される強粘着層と、前記剥離紙に接着される弱粘着層とを有し、かつ弱粘着層は、目隠しシールを印字用紙本体の表面側に貼着した際に、印字用紙本体に対し再剥離可能となっていることを特徴とする目隠しシール付き印字用紙。
【請求項２】
多層粘着層は、印字用紙本体の裏面側に接着される強粘着層と、剥離紙に接着される弱粘着層と、これら両粘着層の間に配される芯材とを有していることを特徴とする請求項１記載の目隠しシール付き印字用紙。
【発明の詳細な説明】
【０００１】
【発明の属する技術分野】
本発明は、目隠しシール付き印字用紙に係り、特に印字用紙本体の表面側にプリンタを用いて印字を施す際に、目隠しシールがプリンタのドラム等に引掛かるおそれがない目隠しシール付き印字用紙に関する。
【０００２】
【従来の技術】
従来から、商品購入用の返信用葉書や役員投票用の返信用葉書等においては、商品購入者が記入したクレジット番号や投票者が記入した候補者名を隠すため、返信用葉書から切離し可能なシール貼着用紙に貼着されている目隠しシールを剥がし、剥がした目隠しシールを、商品購入者や投票者が記入した記入欄の上に貼着して投函する構造になっているのが通例である。
【０００３】
【発明が解決しようとする課題】
ところで、前記従来の目隠しシール付き印字用紙においては、シール貼着用紙の表面側に目隠しシールが貼着されているため、この状態で返信用葉書の表面側にプリンタを用いて印字を施す必要がある場合には、目隠しシール付き印字用紙をプリンタに掛けた際に、目隠しシールがプリンタのドラム等に引掛かって印字できない等の問題がある。
【０００４】
そこで一部では、目隠しシールの厚さを薄くするため、目隠しシールをアルミ箔等で形成することも行なわれているが、製造コストが嵩むとともに、目隠しシールの厚さを薄くしたとしても、常に良好な印字結果が得られるとは限らないという問題がある。
【０００５】
本発明は、かかる現況に鑑みなされたもので、目隠しシールを印字用紙本体と同一厚の用紙で形成した場合であっても、何等支障なく印字用紙本体の表面側にプリンタを用いて印字を施すことができ、またアルミ箔等を用いて目隠しシールを形成する場合と比較して、製造コストを大幅に抑えることができる目隠しシール付き印字用紙を提供することを目的とする。
【０００６】
本発明の他の目的は、多層粘着層を製造することができる目隠しシール付き印字用紙を提供するにある。
【０００７】
【課題を解決するための手段】
前記目的を達成するため本発明は、表面側にプリンタを用いて印字が施される印字用紙本体と；印字用紙本体裏面の所定位置に、多層粘着層を介して接着された剥離紙と；剥離紙に対応する部位に印字用紙本体の表面側から少なくとも剥離紙の手前位置まで切込まれ、内側を剥離紙から剥離させることにより目隠しシールが形成されるシール形成用切込みと；を設け、前記多層粘着層を、少なくとも前記印字用紙本体の裏面側に接着される強粘着層と、前記剥離紙に接着される弱粘着層とで構成し、かつ弱粘着層に、目隠しシールを印字用紙本体の表面側に貼着した際に、印字用紙本体に対し再剥離可能な機能を持たせるようにしたことを特徴とする。そしてこれにより、目隠しシールが印字用紙本体と同一素材で形成されることになり、充分な目隠し性能を有する目隠しシールを安価に製造することが可能となり、しかもシール形成用切込みの内側を剥離紙から剥離させる前は、印字用紙本体の表面と目隠しシールの表面とが面一となっているので、印字用紙本体の表面側にプリンタを用いて印字を施しても、目隠しシールがプリンタのドラム等に引掛かるおそれは全くない。
【０００８】
本発明はまた、多層粘着層を、印字用紙本体の裏面側に接着される強粘着層と、剥離紙に接着される弱粘着層と、これら両粘着層の間に配される芯材とで構成するようにしたことを特徴とする。そしてこれにより、各粘着層を芯材の片側ずつ時間をずらして形成したり、あるいは同時に形成することもできるので、自己の既存設備に合わせた製造方法を採ることが可能となり、新たな設備投資なしに、多層粘着層を容易に製造することが可能となる。
【０００９】
【発明の実施の形態】
以下、本発明を図面を参照して説明する。
図１および図２は、本発明の第１の実施の形態に係る目隠しシール付き印字用紙を示すもので、この印字用紙１は、２組の印字用紙本体２を、縦方向断続切れ目３を介し分離可能に幅方向に連結するとともに、この２組の印字用紙本体２を、横方向断続切れ目４を介し分離可能に長手方向に連結して構成されている。
【００１０】
前記各印字用紙本体２は、図１および図２に示すように、目隠し欄５ａを有する返信用葉書部５と、この返信用葉書部５に切除用断続切れ目６を介して連結された切除用紙部７とで構成されており、切除用紙部７の端部には、図示しないプリンタのフィードピンが係合するフィードピン孔８が設けられている。そして、目隠しシール９は、この切除用紙部７に設けられている。
【００１１】
すなわち、前記切除用紙部７には、図１ないし図４に示すように、その裏面側に、目隠しシール９よりも稍大き目の剥離紙１０が、多層粘着層１１を介して接着されており、この剥離紙１０に対応する部位には、切除用紙部７の表面側から剥離紙１０の手前位置まで、シール形成用切込み１２が設けられている。そして、このシール形成用切込み１２の内側部分を抜き出すことにより、図４に示すように、目隠しシール９が形成されるようになっており、この目隠しシール９は、前記目隠し欄５ａに再剥離可能に貼着されるようになっている。
【００１２】
前記多層粘着層１１は、図３および図４に示すように、前記切除用紙部７の裏面側に接着される強粘着層１３と、前記剥離紙１０に接着される弱粘着層１４と、これら両粘着層１３，１４の間に配される芯材１５とで構成されており、これにより、前記シール形成用切込み１２の内側部分を抜き出して目隠しシール９を形成した際に、弱粘着層１４が多層粘着層１１の最下層にきて露出するようになっている。
【００１３】
なお、前記強粘着層１３は、例えばアクリル系，ゴム系あるいはシリコン系の強粘着剤を所定厚で配して形成されており、強粘着剤の種類は、使用目的等に応じ適宜最適なものが選択されるようになっている。
【００１４】
また、前記弱粘着層１４は、例えばアクリル系あるいはウレタン系の一般的な弱粘着剤を所定厚で配したり、あるいは微細球状構造を有するアクリル系の弱粘着剤を所定厚で配して形成されるようになっているが、再剥離性能の観点から見れば、微細球状構造を有する弱粘着剤を用いて形成した方が好ましい。
【００１５】
また、前記心材１５は、例えばＰＥＴ，ＰＰ，ＰＥ等のプラスチックフィルム、あるいは６〜３０ｇ／ｍ２  程度の薄い不織布、さらには３０〜５０ｇ／ｍ２  程
度の薄い紙等で形成されるようになっているが、前記弱粘着層１４として、微細球状構造を有するアクリル系の弱粘着剤を用いる場合には、芯材１５と弱粘着層１４との付着性を向上させるため、特に芯材１５としてプラスチックフィルムを用いる際には、その表面にマット加工等の粗面加工を施し、かつこの粗面加工面に弱粘着剤を直接塗布して弱粘着層１４を形成するようにすることが好ましい。
【００１６】
次に、本実施の形態の作用について説明する。
印字用紙１の使用に際しては、まず図１および図２に示す印字用紙１を、図示しないプリンタにセットし、各印字用紙本体２の表面側に所定の印字を施す。この際、各印字用紙本体２の切除用紙部７には、目隠しシール９が形成されているが、その上面が切除用紙部７の上面と面一となっているので、目隠しシール９がプリンタのドラム等に引掛かって印字できないといった不具合は全くない。
【００１７】
このようにして、所定の印字を施したならば、各印字用紙本体２毎に分離し、返信用葉書部５が例えば投票用紙であれば、分離した各印字用紙本体２を、候補者名一覧表等とともに、封書にして投票者に郵送する。
【００１８】
これを受領した投票者は、返信用葉書部５の目隠し欄５ａ内に、所定の候補者名を記入するとともに、切除用紙部７のシール形成用切込み１２の内側部分を目隠しシール９として抜き出す。そして、この目隠しシール９を、目隠し欄５ａ上に貼着する。この際、目隠しシール９は、弱粘着層１４を介して返信用葉書部５の目隠し欄５ａ上に貼着されているので、再剥離可能な状態となっている。
【００１９】
投票者は、目隠しシール９で目隠しシール欄５ａをシールした後、返信用葉書部５を切除用紙部７から切り離すとともに、所定の切手を貼って返信用葉書部５を投函し、選挙管理委員会等に郵送する。
【００２０】
返信用葉書部５を受領した選挙管理委員会等は、目隠しシール９を剥がして、候補者の集計を行なう。
【００２１】
しかして、目隠しシール９が印字用紙本体自体で形成されることになるので、充分な目隠し性能を有する目隠しシール９を安価に製造することができる。しかも、目隠しシール９をシール形成用切込み１２の内側から抜き出す前は、目隠しシール９の上面が返信用葉書部５の上面と完全に面一をなしているので、印字用紙本体２の表面側にプリンタを用いて印字を施す際に、目隠しシール９がプリンタのドラム等に引掛かって印字不良が生じるといった不具合は全くない。
【００２２】
図５は、本発明の第２の実施の形態を示すもので、前記第１の実施の形態における多層粘着層１１に代え、多層粘着層２１を用いるようにしたものである。
【００２３】
すなわち、前記多層粘着層２１は、図５に示すように、切除用紙部７の裏面側に接着される強粘着層２３と、剥離紙１０に接着される弱粘着層２４とで構成されており、前記第１の実施の形態における多層粘着層１１から、芯材１５を省略した構造となっている。
なお、その他の点については、前記第１の実施の形態と同一構成となっており、作用も同一である。
【００２４】
しかして、多層粘着層２１は、２層の粘着層２３，２４のみで構成されているので、多層粘着層２１全体の層厚を薄くすることができるとともに、芯材１５を省略した分だけコストダウンを図ることができる。
【００２５】
なお、前記両実施の形態においては、シール形成用切込み１２が、切除用紙部７の表面側から剥離紙１０の手前位置まで切込まれている場合について説明したが、途中位置までであれば、剥離紙１０の位置まで切込まれていてもよい。
【００２６】
【発明の効果】
以上説明したように本発明は、表面側にプリンタを用いて印字が施される印字用紙本体と；印字用紙本体裏面の所定位置に、多層粘着層を介して接着された剥離紙と；剥離紙に対応する部位に印字用紙本体の表面側から少なくとも剥離紙の手前位置まで切込まれ、内側を剥離紙から剥離させることにより目隠しシールが形成されるシール形成用切込みと；を設け、前記多層粘着層を、少なくとも前記印字用紙本体の裏面側に接着される強粘着層と、前記剥離紙に接着される弱粘着層とで構成し、かつ弱粘着層に、目隠しシールを印字用紙本体の表面側に貼着した際に、印字用紙本体に対し再剥離可能な機能を持たせるようにしているので、目隠しシールが印字用紙本体と同一素材で形成されることになり、充分な目隠し性能を有する目隠しシールを安価に製造することができ、しかもシール形成用切込みの内側を剥離紙から剥離させる前は、印字用紙本体の表面と目隠しシールの表面とが面一となっているので、印字用紙本体の表面側にプリンタを用いて印字を施しても、目隠しシールがプリンタのドラム等に引掛かるおそれは全くない。
【００２７】
本発明はまた、多層粘着層を、印字用紙本体の裏面側に接着される強粘着層と、剥離紙に接着される弱粘着層と、これら両粘着層の間に配される芯材とで構成するようにしているので、各粘着層を芯材の片側ずつ時間をずらして形成したり、あるいは同時に形成することもできるので、自己の既存設備に合わせた製造方法を採ることが可能となり、新たな設備投資なしに、多層粘着層を容易に製造することができる。
【図面の簡単な説明】
【図１】本発明の第１の実施の形態に係る目隠しシール付き印字用紙を示す説明図である。
【図２】図１を裏面側から見た構成図である。
【図３】図１のＩＩＩ−ＩＩＩ線拡大断面相当図である。
【図４】シール形成用切込みの内側から目隠しシールを抜き出した状態を示す図３相当図である。
【図５】本発明の第２の実施の形態を示す図３相当図である。
【符号の説明】
１  印字用紙
２  印字用紙本体
５  返信用葉書部
５ａ  目隠し欄
６  切除用断続切れ目
７  切除用紙部
９  目隠しシール
１０  剥離紙
１１，２１  多層粘着層
１２  シール形成用切込み
１３，２３  強粘着層
１４，２４  弱粘着層
１５  芯材
【図１】
2004314343.tif 000003
【図２】
2004314343.tif 000004
【図３】
2004314343.tif 000005
【図４】
2004314343.tif 000006
【図５】
2004314343.tif 000007